(57)【要約】  眼鏡フレームは、２枚のレンズを保持するフロント部（１３０）と、信号ポッド（１１０）に付着する組立体と、フロント部（１３０）に接続されるサイドアーム（１４０、１５０）と、フロント部（１３０）に接続され、ユーザの鼻の上でフロント部（１３０）を支持するノーズ接触子（１６２、１６４）を有し、ノーズ接触子（１６２、１６４）が信号ポッド（１１０）に電気的に接続されているノーズ組立体（１６０）と、サイドアームに接続され、ユーザの頭部および耳に接触するヘッド接触子を有し、ヘッド接触子がサイドアーム（１４０、１５０）および信号ポッド（１１０）に電気的に接続されている調節可能な耳片（１４２）とを備え、その調節可能な耳片がユーザの頭部および耳に一致するように形成可能でありまたは可鍛性である。【選択図】図１Ｂ
2019512713.tif 000002
【特許請求の範囲】
【請求項１】
眼鏡フレームであって、
２枚のレンズを保持するフロント部（１３０）と、
信号ポッド（１０）に付着する組立体と、
前記フロント部（１３０）に接続されるサイドアーム（１４０、１５０）と、
前記フロント部（１３０）に接続され、ユーザの鼻の上で前記フロント部（１３０）を支持するとともに前記信号ポッド（１１０）に電気的に接続されるノーズ接触子（１６２、１６４）を有するノーズ組立体（１６０）と、
前記サイドアームのそれぞれに接続され、ユーザの頭部および耳に接触するとともに前記サイドアーム（１４０、１５０）と前記信号ポッド（１１０）とに電気的に接続される頭部接触子を有し、前記ユーザの頭部および耳に一致するように形成可能または可鍛性である調節可能な耳片（１４０２）と、
を備えている、眼鏡フレーム。
【請求項２】
請求項１記載の眼鏡フレームにおいて、
前記調節可能な耳片は、導電性であるまたは導電性材料でコートされた形成可能な部品と、屈曲または再形成できる内部可鍛性金属片とを有する、眼鏡フレーム。
【請求項３】
請求項１記載の眼鏡フレームにおいて、
前記調節可能な耳片は、銀コート発泡体電極を備えている、眼鏡フレーム。
【請求項４】
請求項１記載の眼鏡フレームにおいて、
さらに、屈曲ＰＣＢ部と、開放位置と閉鎖位置との間で前記サイドアームを移動するため前記サイドアーム（１４０、１５０）を前記フロント部（１３０）に枢動可能に接続するヒンジ（１７０）とを備え、
前記サイドアーム（１４０、１５０）が前記開放位置と前記閉鎖位置との間で移動するとき、前記屈曲ＰＣＢ部が折り畳み可能である、眼鏡フレーム。
【請求項５】
眼鏡フレーム用の調節可能な耳片であって、
眼鏡フレームのサイドアーム（１４０、１５０）のそれぞれに接続し、ユーザの頭部および耳に接触する頭部接触子を有し、
前記頭部接触子が前記サイドアーム（１４０、１５０）と信号ポッド（１１０）とに電気的に接続され、前記調節可能な耳片は前記ユーザの頭部および耳に一致するように形成可能でありまたは可鍛性である、調節可能な耳片。
【請求項６】
請求項５記載の調節可能な耳片において、
導電性であるまたは導電性材料でコートされた形成可能な部品と、屈曲または再形成できる内部可鍛性金属片とを有する、調節可能な耳片。
【請求項７】
請求項５記載の調節可能な耳片において、
銀コート発泡体電極を備えている、調節可能な耳片。
【請求項８】
眼鏡フレーム用のヒンジであって、
眼鏡フレームのフロント部（１３０）にサイドアーム（１４０、１５０）を枢動可能に接続して開放位置と閉鎖位置との間で前記サイドアームを移動するようし、前記サイドアーム（１４０、１５０）が前記開放位置と前記閉鎖位置との間で移動するとき折り畳み可能な屈曲ＰＣＢ部を有する、ヒンジ。
【請求項９】
請求項１記載の眼鏡フレームにおいて、
前記調節可能な耳片（１４０２）は、導電性かまたは導電性材料によってコートされたかのいずれ一方である軟質ゴムまたはエラストマー成分を有する、眼鏡フレーム。
【発明の詳細な説明】
【技術分野】
【０００１】
本書で記述される実施の形態は、ウェラブルデバイスに関する。本書で記述される実施の形態は、さらに詳細には、生体信号センサ付き眼鏡（すなわちＥＥＧ）に関する。
【背景技術】
【０００２】
生体信号センサをアイウェア（眼鏡類）に組込んだデバイスのニーズがある。
【発明の概要】
【発明が解決しようとする課題】
【０００３】
本出願の範囲は、明細書中で記述されたプロセス、機械装置、製造、組成物、手段、方法、およびステップの具体的な実施の形態および／または態様に限定されるように意図されていない。当業者が本発明の開示から容易に理解するように、本書で記述され対応する実施の形態と実質的に同じ機能を実行するまたは実質的に同じ結果を達成する既存のもしくはその後に開発されるプロセス、機械装置、製造、組成物、手段、方法、またはステップは、利用されるかもしれない。さらに、理解され得るように、本書で記述および図示された例は、ほんの実例にすぎないように意図される。
【０００４】
第１の態様では、２枚のレンズを保持するフロント部と、信号ポッドに付着する組立体と、フロント部に接続され、ユーザの頭部に接触する第１のサイドアーム接触子を有し、第１のサイドアーム接触子が第１のサイドアームポイントに電気的に接続されている第１のサイドアームと、第１のサイドアームの反対側のフロント部に接続され、ユーザの頭部に接触する第２のサイドアーム接触子を有し、第２のサイドアーム接触子が第２のサイドアームポイントに電気的に接続されている第２のサイドアームと、フロント部に接続され、ユーザの鼻の上でフロント部を支持する第１のノーズ接触子および第２のノーズ接触子を有し、第１のノーズ接触子が第１のノーズポイントおよび第２のノーズポイントに電気的に接続されているノーズ組立体とを備えている、信号ポッドに接続する眼鏡フレームが提供される。第１のサイドアーム接触子、第２のサイドアーム接触子、第１のノーズ接触子、および、第２のノーズ接触子は、眼鏡フレームに亘って互いから電気的に絶縁されている。これは、一実施の形態の例であり、他の実施の形態の例ではより多くの接触子があってもよい。
【０００５】
別の態様では、眼鏡フレームの第１のサイドアームと第２のサイドアームとは、フロント部に対して枢動可能にヒンジ（蝶番）で動くようにされている。
【０００６】
別の態様では、眼鏡フレームの第１のサイドアームポイント、第２のサイドアームポイント、第１のノーズポイント、および第２のノーズポイントは全て、信号ポッドにつながる第１のサイドアーム、第２のサイドアーム、およびフロント部のうちの１つにある。
【０００７】
別の態様では、眼鏡フレームはさらに、信号ポッドとの取付けのためのポッド溝および鉄金属溝のうちの一方を備えている。
【０００８】
別の態様では、眼鏡フレームに付着する組立体と、眼鏡フレームの第１のサイドアームポイントに電気的に接続する第１のポッド接触子と、眼鏡フレームの第２のサイドアームポイントに電気的に接続する第２のポッド接触子と、眼鏡フレームの第１のノーズポイントに電気的に接続する第３のポッド接触子と、眼鏡フレームの第２のノーズポイントに電気的に接続する第４のポッド接触子と、第１のポッド接触子、第２のポッド接触子、第３のポッド接触子、および第４のポッド接触子の間の電位を測定し、処理およびさらなる出力のためにコンピュータデバイスにその測定値を送信する電気モジュールとを備える、眼鏡フレームに接続する信号ポッドが提供される。これは、一実施の形態の例である。他の実施の形態の例では、４つ以上のポッド接触子があってもよい。
【０００９】
別の態様では、信号ポッドの第１のポッド接触子、第２のポッド接触子、第３のポッド接触子、および第４のポッド接触子は、眼鏡フレームに接触するためにバネ装填されている。
【００１０】
別の態様では、信号ポッドを眼鏡フレームに取付ける組立体は、眼鏡フレームの溝に留めるためのクリップを備えている。
【００１１】
別の態様では、眼鏡フレームに信号ポッドを取付ける組立体は、眼鏡フレームの鉄金属溝に磁気的に取付けるためのマグネット（磁石）を備えている。
【００１２】
別の態様では、信号ポッドに付着する組立体と、フロント部に接続され、ユーザの耳または頭部の第１の部分に接触するとともに第１のサイドアームポイントに電気的に接続される第１のサイドアーム接触子を有し、ユーザの耳または頭部の第２の部分に電気的に接続されるとともに第２のサイドアームポイントに電気的に接続される第２のサイドアーム接触子を有するサイドアームとを備える、信号ポッドを一体化した眼鏡フレームが提供され；第１のサイドアーム接触子と第２のサイドアーム接触子とが眼鏡フレームに亘って互いから電気的に絶縁され；第１のサイドアーム接触子および第２のサイドアーム接触子は、眼鏡フレームのサイドアームに印刷された導電性インク、眼鏡フレームのサイドアームに接着されたもしくはそうでなければ結合された導電性ゴム、および／または、ユーザによって作り出される生体信号を検知するとともにユーザの耳の第１の部分とユーザの耳の第２の部分との外形を検知するのを容易にして十分な接触を確実にするために導電性の生地、金属、もしくは別の導電性材料を組み入れている。生体信号の検出は、ユーザの耳の第１の部分および／またはユーザの耳の第２の部分の外形上で実行されてもよい。
【００１３】
別の態様では、信号ポッドに付着する組立体と、フロント部に接続され、ユーザの耳または頭部の第１の部分に接触するとともに第１のサイドアームポイントに電気的に接続される第１のサイドアーム接触子を有し、ユーザの頭部の第２の部分に接触するとともに第２のサイドアームポイントに電気的に接続される第２のサイドアーム接触子を有するサイドアームとを備える、信号ポッドを一体化した眼鏡フレームが提供され；第１のサイドアーム接触子と第２のサイドアーム接触子とは、眼鏡フレームに亘って互いから電気的に絶縁され、当該組立体に接続され；第１のサイドアーム接触子および第２のサイドアーム接触子は、眼鏡フレームのサイドアームに印刷された導電性インク、眼鏡フレームのサイドアームに接着されたもしくはそうでなければ結合された導電性ゴム、および／または、ユーザによって作り出される生体信号を検出するとともにユーザの耳の第１の部分とユーザの耳の第２の部分との外形を検出するのを容易にして十分な接触を確実にするため導電性の生地、金属、もしくは別の導電性材料を組み入れている。生体信号の検出は、ユーザの耳の第１の部分および／またはユーザの耳の第２の部分の外形上で実行されてもよい。
【００１４】
別の態様では、信号ポッドに付着する組立体と、その組立体に接続され、ユーザの鼻の上でフロント部を支持する第１のノーズ接触子および第２のノーズ接触子を有し、第１のノーズ接触子が第１のノーズポイントおよび第２のノーズポイントに電気的に接続されているノーズ組立体とを備える、信号ポッドを一体化した眼鏡フレームが提供され；第１のノーズ接触子および第２のノーズ接触子は、眼鏡フレームに亘って互いから電気的に絶縁され、当該組立体に接続され；第１のノーズ接触子および第２のノーズ接触子は、眼鏡フレームのノーズ組立体に印刷された導電性インク、眼鏡フレームのノーズ組立体に接着されたもしくはそうでなければ結合された導電性ゴム、および／または、ユーザによって作り出される生体信号を検出するとともにユーザの鼻の外形を検出するのを容易にして十分な接触を確実にするため導電性の生地、金属、もしくは別の導電性材料を組み入れている。生体信号の検出は、ユーザの鼻の外形上で実行されてもよい。
【００１５】
別の態様では、信号ポッドを一体化した眼鏡フレームは、ツル電極と、眼鏡フレームの第１のサイドアームの第１の内面および／または眼鏡フレームの第２のサイドアームの第２の内面で眼鏡フレームに取付けられたツル電極バネとを備えている。
【図面の簡単な説明】
【００１６】
【図１Ａ】取付けられた信号ポッドを備える眼鏡フレームの一例の平面図である。
【図１Ｂ】取付けられた信号ポッドを備える眼鏡フレームの背面図である。
【図２】取付けられた２つの信号ポッドを備える眼鏡フレームの平面図である。
【図３】眼鏡フレームのサイドアームと信号ポッドの取付け個所との側面図である。
【図４Ａ】信号ポッドの一例と、信号ポッドの取付け手段および通信手段との側面図である。
【図４Ｂ】信号ポッドの一例と、信号ポッドの取付け手段および通信手段との平面図である。
【図５】一般的なコンピュータデバイスと、その一般的なコンピュータデバイスと情報交換をするユーザとを示すブロック図である。
【図６Ａ】信号ポッドの一例と、信号ポッドの取付け手段および通信手段との平面図である。
【図６Ｂ】信号ポッドの一例と、信号ポッドの取付け手段および通信手段との側面図である。
【図７】信号ポッドの一例と、眼鏡フレームのアームの一例に装着された信号ポッドの取付け手段および通信手段との側面図である。
【図８Ａ】眼鏡フレームのアームの一例と、装着された生体信号センサとの側面図である。
【図８Ｂ】眼鏡フレームのアームの一例と、ユーザの耳に置かれて装着された生体信号との側面図である。
【図９Ａ】眼鏡フレームの一例と装着された生体信号との背面図である。
【図９Ｂ】眼鏡フレームの一例と装着された生体信号センサとの平面図である。
【図１０Ａ】眼鏡フレームの一例と、係合されていないバネ搭載ツル電極との平面図である。
【図１０Ｂ】眼鏡フレームの一例と、部分的に係合されたバネ搭載ツル電極との平面図である。
【図１０Ｃ】眼鏡フレームの一例と、係合されたバネ搭載ツル電極との平面図である。
【図１１Ａ】眼鏡フレームの一例に一体化されたバネピン組立体用電気接触子のデザインの平面図である。
【図１１Ｂ】眼鏡フレームの一例に一体化されたバネピン組立体用電気接触子のデザインの別の平面図である。
【図１１Ｃ】眼鏡フレームの一例に一体化されたバネピン組立体用電気接触子のデザインの斜視図である。
【図１２Ａ】エラストマーからなるツル電極を組込んだ眼鏡フレームの一例の平面図であり、当該エラストマーのツル電極が非係合位置で示されている。
【図１２Ｂ】エラストマーからなるツル電極を組込んだ眼鏡フレームの一例の平面図であり、当該エラストマーのツル電極が係合状態で示されている。
【図１３Ａ】眼鏡フレームの一例に一体化されたフレキシブルプリント回路基板（ＰＣＢ）組立体用電気接触子のデザインの平面図であり、当該フレキシブルＰＣＢ基板組立体が係合位置で示されている。
【図１３Ｂ】眼鏡フレームの一例に一体化されたフレキシブルＰＣＢ基板組立体用の電気接触子のデザインの平面図であり、当該フレキシブルＰＣＢ基板組立体が非係合位置で示されている。
【図１４】ある実施の形態の例による、眼鏡フレーム用の調節可能な耳片の側面図である。
【図１５】ある実施の形態の例による、眼鏡フレーム用の調節可能な耳片の側面図である。
【図１６Ａ】ある実施の形態の例による、眼鏡フレーム用の銀コート（銀メッキ）発泡体（フォーム）電極の図である。
【図１６Ｂ】ある実施の形態の例による、眼鏡フレーム用の銀コート発泡体電極の図である。
【図１７】ある実施の形態の例による、開放置でのヒンジ（蝶番）と眼鏡フレームのアームの一部との図である。
【図１８】ある実施の形態の例による、閉鎖位置でのヒンジと眼鏡フレームのアームの一部との図である。
【図１９】ある実施の形態の例による、眼鏡フレームのヒンジの図である。
【図２０】ある実施の形態の例による、眼鏡フレームのヒンジの図である。
【図２１】ある実施の形態の例による、眼鏡フレームのヒンジの図である。
【図２２】ある実施の形態の例による、眼鏡フレームのヒンジの図である。
【図２３】ある実施の形態の例による、開放位置でのヒンジと眼鏡フレームのアームの一部との図である。
【図２４】ある実施の形態の例による、閉鎖位置でのヒンジと眼鏡フレームのアームの一部との図である。
【図２５】ある実施の形態の例による、開放位置でのヒンジと眼鏡フレームのアームの一部との図である。
【図２６】ある実施の形態の例による、閉鎖位置でのヒンジと眼鏡フレームのアームの一部との図である。
【００１７】
これらの図は説明の目的のために実施の形態の例の態様を示し、変形、代替の構成、代替の部品、および変更はこれらの実施の形態の例に対してなされるかもしれない。
【発明を実施するための形態】
【００１８】
ここで、発明を実施するために発明者によって熟考されたベストモードを含む発明の幾つかの具体的な例が詳細に言及されるでしょう。これらの具体的な実施の形態の例は、添付図面の中で図示されている。
発明がこれらの具体的な実施の形態と併せて記述されるけれど、記述された実施の形態に発明を限定することが意図されないことは理解されるだろう。それどころか、添付された請求項によって規定される発明の趣旨および範囲内に含まれるような代替手段、変更、および等価物に及ぶように発明は意図されている。また、本書で使用されている言葉使いおよび専門用語が説明的な記述の目的のためであり制限と見なされるべきでないことは、理解されるべきである。
【００１９】
人間がコンピュータデバイスと情報交換する方法が、変化するにつれ、コンピュータは新たな目的のため使用可能になってもよいし、または、既存のタスクおよびリソースの使用を実行する際により効率的であるように具体的に構成されてもよい。その点で記述されている実施の形態は、脳波パターンなどのような生体信号を測定することを要件としてもよい。
【００２０】
かかる記述では、多くの具体的な詳細が、本発明の深い理解を提供するために説明されている。実施の形態の具体的な例は、それらの具体的な詳細の一部または全部の範囲外で実行されるかもしれない。他の例では、周知なプロセスの動作（作用）は、本発明を不必要に曖昧にしないために詳細に記述されていない。
【００２１】
本書で記述されている実施の形態における様々な技術およびメカニズムは時には、明瞭さのため単数形で記述されるだろう。熟練した読み手なら、そのような言及が複数形を含むことを理解するだろう。さらに、注目すべきは、幾つかの実施の形態が、特に断りのない限り、１つの技術の多数の繰り返し、または、１つのメカニズムの多数の具体化（インスタンス化）を含んでもよいことである。たとえば、あるシステムは、様々な場面でプロセッサを使用している。
しかしながら、１つシステムが多数のプロセッサを使用可能であることは、十分に理解されるだろう。説明的な例として、アイウェア（眼鏡類）デバイスは、プロセッサを備えてもよく、当該プロセッサは順に、別のプロセッサを有するクライアントデバイスに接続してもよい。また、注目すべきは、１つのプロセッサが、マルチコアプロセッサを意味してもよいことである。さらに、本書で記述された実施の形態における技術およびメカニズムは時には、２つの独立体（エンティティ）間の接続を記述するだろう。注目すべきは、２つの独立体間の接続は、様々な他の独立体が当該２つの独立体間に存在するかもしれないので、直接妨げられない接続を必ずしも意味しないことである。たとえば、１つのプロセッサはメモリに接続されてもよいが、様々なブリッジおよびコントローラが当該プロセッサと当該メモリとの間に存在してもよいことは十分に理解されるだろう。
その結果、１つの接続は、特に断りのない限り、直接妨げられない接続を必ずしも意味しない。
【００２２】
図１Ａを参照すると、本書で記述された実施の形態の典型的な実施による、フロント（前枠）部１３０、信号ポッド１１０、およびコンピュータデバイス１２０を備えた眼鏡フレーム（枠）１００の平面図が提供される。信号ポッド１１０は、眼鏡フレーム１００のアーム１８６に取付け可能および取外し可能であってもよい。信号ポッド１１０は、たとえばＷｉ−Ｆｉまたはブルートゥースを介して、コンピュータデバイス１２０と通信してもよい。生体信号センサは、眼鏡フレーム１００内に含まれてもよく、ユーザの読み取り部分と異なる部分に接触するかもしれない導電性面（たとえば電極）および／または導電性接点（たとえば１６２、１６３、１６４、１４２、１５２）を備えていてもよい。これらの生体信号センサは、互いから電気的に絶縁されるとともに眼鏡フレーム１００から電気的に絶縁されてもよく、たとえば非導電性のセルフレーム（枠）内の配線上に印刷されてもよい。これらの生体信号センサは、眼鏡フレーム１００のアーム１４０の一部分に電気的に接続されてもよい。眼鏡フレーム１００は、信号ポッド１１０が上述の生体信号センサと通信するように信号ポッド１１０に接続されてもよい。
【００２３】
ある実施の形態では、信号ポッド１１０は、生体信号センサ（たとえば１４２、１５２、１６２、１６３、１６４）の接点とユーザの頭部との間の電圧電位の測定値を記録するかもしれない。それから、信号ポッド１１０は、記録された電圧電位の測定値をコンピュータデバイス１２０へ伝送し、それを処理して生体信号（たとえば脳波図、筋電図、または眼電図）にしてもよい。
【００２４】
本開示の実施の形態に含まれる生体信号センサは、身体によって発せられた非常に小さな電気信号、しばしば数マイクロボルト（１ボルトの１００万分の１）と同様に小さな電気信号を測定するかもしれない。あいにく、人間の身体は、アンテナの役目をしてもよく、電磁妨害を特に５０／６０ヘルツの範囲で捕捉するかもしれない。現在の開示の実施の形態によって適用される可能性のある信号干渉低減方法の１つは、ドリブン・ライト・レッグ（ＤＲＬ）として知られている。ＤＲＬの目的は、５０／６０ヘルツのＡＣ回線ノイズなどのような同相（コモン）モード信号を低減することである。信号ポッド１１０は、信号ノイズを低減する１つ以上の部品を備えてもよく、当該部品は、電極を横切って電位差を測定する１つ以上の計器増幅器、生体信号センサの１つに接続された１つ以上のＤＲＬ回路、偽信号（エイリアシング）を防止するための低パスおよび／またはＡＣ回線ノイズを低減するためのノッチフィルターなどのような１つ以上のフィルタ、１つ以上のアナログ・デジタル・コンバーター（変換器）、１つ以上の無線通信（たとえばブルートゥース）無線機、および／または１つ以上のバッテリーを備えていてもよい。
【００２５】
一実施の形態では、眼鏡フレーム１００との使用に適したセンサは、様々な形状であってもよく、様々な材料からなってもよい。たとえば、センサは部分的には、ゴムのような導電性複合材を含んだ導電性材料からなってもよく、または、ステンレス鋼、銀塩化銀、および他の材料などのような金属メッキもしくは被膜材料を含んだ導電性金属からなってもよい。センサは、ＥＥＧセンサ、ジャイロスコープ、および加速度計を含むことがある１つ以上の生体信号センサを備えてもよい。センサの機能には様々なタイプが含まれても良く、当該タイプにはユーザの皮膚との電気的な接触をする電気的生体信号センサやユーザの皮膚との容量接触をする容量生体信号センサが含まれている。ある実施の形態では、加速度計やジャイロスコープのようなあるセンサは、信号ポッド１１０内に収容され得る。
【００２６】
図１Ｂを参照すると、図１Ａの典型的な実施による、眼鏡フレーム１００の正面図が提供される。この典型的な実施で示されるように、眼鏡フレーム１００は、２枚のレンズを保持するためのフロント（前枠）部１３０、第１のサイドアーム１４０、第２のサイドアーム１５０、およびノーズ（鼻）組立体１６０を備えている。第１のサイドアーム１４０は、フロント部１３０に接続され、ユーザの頭部と接触する第１のサイドアーム接触子１４２を有し、そこでは第１のサイドアーム接触子１４２が第１のサイドアームポイント１４４に電気的に接続されている。第２のサイドアーム１５０は、第１のサイドアーム１４０の反対側のフロント部１３０に接続され、ユーザの頭部に接触する第２のサイドアーム接触子１５２を有し、そこでは第２のサイドアーム接触子１５２は、第２のサイドアームポイント１５４に電気的に接続されている。第１のサイドアーム接触子１４２と第２のサイドアーム接触子１５２とは、第１のサイドアーム１４０および第２のサイドアーム１５０の上または範囲内にそれぞれ位置決めされ、第１のサイドアーム接触子１４２および第２のサイドアーム接触子１５２が、たとえば、ユーザの耳と接触するように位置決めされるようにしている。第１のサイドアーム１４０は、眼鏡フレーム１００の右サイドアームまたは左サイドアームのいずれかでもよく、そのことは、第２のサイドアーム１４０にも同様に当てはまる。
【００２７】
図１Ｂの典型的な実施をさらに参照すると、ノーズ組立体１６０は、ユーザの鼻の上に眼鏡フレームを据え付け、フロント部１３０に接続される。ノーズ組立体１６０は、ユーザの鼻の上でフロント部１３０を支持するための第１のノーズ接触子１６２および第２のノーズ接触子１６４を有し、そこではさらに第１のノーズ接触子１６２は、第１のノーズポイント１６６に電気的に接続され、第２のノーズ接触子１６４は、第２のノーズポイント１６８に電気的に接続されている。第１のサイドアーム接触子１４２、第１のサイドアームポイント１４４、第２のサイドアーム接触子１５２、第２のサイドアームポイント１５４、第１のノーズ接触子１６２、第１のノーズポイント１６６、第２のノーズ接触子１６４、および第２のノーズポイント１６８は、限定されない例として、銀（または金）混合被覆物を具備した導電性ゴムなどのような導電性面を有していてもよい。第１のサイドアーム接触子１４２、第２のサイドアーム接触子１５２、第１のノーズ接触子１６２、および第２のノーズ接触子１６４によって作り出された信号は、眼鏡フレーム１００の全面に亘って互いに通信することまたは互いを妨害することから電気的に絶縁されている。ある実施の形態では、このことは、非導電性セル（非導電性プラスチック）の眼鏡フレームを組立てることによって達成されるかもしれない。
【００２８】
図１Ｂの典型的な実施をさらに参照すると、第１のサイドアーム接触子１４２、第２のサイドアーム接触子１５２、第１のノーズ接触子１６２、および第２のノーズ接触子１６４と、それらの対応する第１のサイドアームポイント１４４、第２のサイドアームポイント１５４、第１のノーズポイント１６６、および第２のノーズポイント１６８との間の電気的な接続は、非導電性セルの眼鏡フレーム１００内の埋め込み金属配線（たとえば銅線）を使って実施されるかもしれない。代替としては、眼鏡フレームが金属であるまたは導通する場合には、接触子、ポイント、および配線は、既知のタイプの絶縁性を持つ眼鏡フレーム１００から電気的に絶縁されてもよい。限定されない例として、配線は、埋め込みフレキシブル回路基板、または、パッド印刷方式、孔版捺染方式、もしくはインクジェット方式の導電性インク中に組込まれ得る。
【００２９】
任意に、第１のサイドアーム１４０および第２のサイドアーム１５０は、フロント部１３０に対して枢動可能にヒンジ（蝶番）１７０で動くようにされてもよい。電気的な接続がヒンジを横切る方法は、当該技術（不図示）の分野において既知であり、たとえばフレキシブル配線を備えている。信号ポッド１１０を取付ける取付け部１７５は、図１Ａにおいて、第２のサイドアーム１５０の外面１８６上に示されている。代替としては、信号ポッド１１０を取付ける取付け部１７５は、フロント部１３０の上面１８８と、第１のサイドアーム１４０の第１の外面１８０および第１の内面１８２と、第２のサイドアーム１５０（不図示）の第２の内面１８４とのうち何れか１つ（または２つ以上）に配置されてもよい。また、信号ポッド１１０は、ある実施の形態の例ではコンピュータデバイスを備えてもよいし、または、それと一体化されてもよい。信号ポッド１１０は、ユーザからの生体信号データを測定および捕捉するために、眼鏡フレーム１００と一体化された部品に問い合わせてもよい。
【００３０】
本書で記述される実施の形態における別の典型的な実施による図２を参照すると、フロント部２３０、信号ポッド２１０、およびコンピュータデバイス２２０を備えた眼鏡フレーム２００の平面図が提供される。信号ポッド２１０は、眼鏡フレーム２００のフロント部２３０に取付け可能であってもよいし、および、それから取外し可能であってもよい。信号ポッド２１０は、様々な部品を備えてもよいし、また眼鏡フレーム２００の異なる部分に取付け／から取外してもよい。眼鏡フレーム２００は、ユーザの頭部に接触するように設計された導電性面（電極）および／または接触子を有してもよい。これらの接触子は、互いからおよび／または眼鏡フレーム２００から電気的に絶縁されていてもよい。これらの接触子は、眼鏡フレーム２００のフロント部２３０の一部分に接続されてもよく、さらに信号ポッド２１０に接続されてもよい。図２の信号ポッド２１０は、信号ポッド２１０がフロント部２３０に取付け可能およびフロント部２３０から取外し可能であることを除いて、図１Ａおよび図１Ｂの信号ポッド１１０と同一の機能性を具えている。信号ポッド１１０は、眼鏡フレーム１００のアームに取付け可能および当該アームから取外し可能であってもよい。また、図１Ａおよび図１Ｂに関しての開示は、たとえば論理的に当てはまらない場合を除いて、したがって図２に当てはまるかもしれない。
【００３１】
図３を参照すると、信号ポッド１１０を取付ける眼鏡１００のサイドアームの取付け部における実施の形態の例の側面図が提供される。図示された実施の形態の例は、サイドアームの１つの面に４つの接触子（１４４、１５４、１６６、１６８）、すなわち、第１のノーズポイント１６６、第１のサイドアームポイント１４４、第２のノーズポイント１６８、および第２のアームポイント１５４を設けている。また、実施の形態の例は、２つの磁性スタブ（短い突起物）３１０、３２０を示している。磁性スタブ３１０、３２０は、信号ポッド１１０上における、対応する磁性スタブ用の取付け個所であってもよい。信号ポッド１１０は、眼鏡フレーム１００に取付け可能であってもよいし、および、眼鏡フレーム１００から取外し可能であってもよい。磁性スタブは、磁性材料（たとえば鉄、ニッケル、コバルト、それらの合金、および、希土類金属の合金）からなってもよい。任意に、２つの磁性スタブ３１０、３２０は、非導電性セルの眼鏡フレーム１００内に埋め込まれていてもよい。任意に、眼鏡フレーム１００は、ある位置において信号ポッド１１０を眼鏡フレーム１００に取付けるのを確実するために、信号ポッド１１０の対応する溝孔（スロット）または歯を受け入れるための歯または溝孔（溝孔が歯または突起を受け入れる）を有してもよい。歯または溝孔の位置は、たとえば、磁性スタブの間隔および位置決めに対応してもよい。２つの磁性スタブ３１０、３２０の位置には１つの突起または窪みがあってもよい。
【００３２】
図４Ａおよび図４Ｂを参照すると、信号ポッド１１０の実施の形態の例の側面図（図４Ａ）および平面図(図４Ｂ)が提供される。信号ポッド１１０の例は、本体４１０、多数のバネ装填接点４２０、および多数の磁性スタブ４３０、４４０からなる。図示された実施の形態の例の本体４１０はさらに、４つのバネ装填接点４２０の間の電位を測定する電圧電位センサと、ユーザ１０の脳状態を決定する処理のためのコンピュータデバイス１２０に、測定された電圧電位データを送信するように作動できる無線機（たとえばＷｉ−Ｆｉまたはブルートゥース）とを備えている。ある実施の形態では、本体４１０はさらに、電圧電位データ（たとえば生体信号測定値）の処理のためのポッドコンピュータデバイスを備えていてもよい。任意に、４つのバネ装填接点４２０は、第１のサイドアームポイント１４４、第２のサイドアームポイント１５４、第１のノーズポイント１６６、および／または第２のノーズポイント１６８に適合する（ぴったり合う）ピンであってもよく、そこでは当該ポイントは、４つのバネ装填接点４２０に適合する孔形状または溝孔形状であってもよい。バネ装填接点４２０を備える実施の形態の例は、図１１で示されるかもしれない。
【００３３】
図６Ａを参照すると、別の典型的な実施による、信号ポッド６００の実施の形態の例の平面図が提供される。信号ポッド６００は、信号ポッド１１０と同様であってもよく、本体６１０と、多数のバネ装填接点６２０と、眼鏡フレーム１００上で対応する凹凸ある溝孔に嵌めるために本体６１０から突出するように図６Ａで示された多数の磁性スタブ６３０、６４０とを備えていてもよい。
図中で示された以下の部品は同一または同様な機能を有してもよい；本体６１０および本体４１０；４つのバネ装填接点４２０および４つのバネ装填接点６２０；２つの磁性スタブ４３０、４４０および２つ磁性スタブ６３０、６４０。信号ポッド６００の例はさらに、ユーザの頭部に接触するため、および、付加的な電圧電位測定ポイントを提供するための接触子を備えていてもよい。図示されるように信号ポッド６００は、内面１８２および／または内面１８４に取付け可能であってもよい。
【００３４】
図６Ｂを参照すると、眼鏡フレーム１００のフロント部１３０の上面１８８への取付け用に構成された信号ポッド６００における実施の形態の例の側面図が提供される。図６Ｂで示される信号ポッド６００の例は、本体６１０と、バネ装填接点６２０と、眼鏡フレーム１００上で対応する凹凸ある溝孔に適合するため本体６１０から突出するように図示された磁性スタブ６３０と、ユーザ１０の前額部に抗して適合するための（バネ装填接点６２０に対して直角（約９０度）で示された）バネ装填接点６５０とを備えている。
【００３５】
図７を参照すると、眼鏡フレーム１００の外面１８０または外面１８６のいずれかの上の取付け部への取付けのために構成された信号ポッド６００の実施の形態の例の側面図が提供される。信号ポッド６００は、本体６１０と、バネ装填接点６２０と、眼鏡フレーム１００上で対応する凹凸ある溝孔に適合するため本体６１０から突出するように図示された磁性スタブ６３０と、Ｕ状アーム６６０上のバネ装填接点６５０であって眼鏡１００のサイドアーム６７０の全面に亘ってバネ装填接点６５０を持ち上げ、ユーザの頭部に抗して適合するようにし、そこではユーザの皮膚と電気的な接触をするバネ装填接点６５０とを備えている。この接点は、信号ポッド６００の電気回路に接続されてもよく、生体信号を測定するための付加的なセンサであってもよい。また、この部品は、ピン６５０がユーザの前額部に接触する場合には、眼鏡のフロントに取付けられてもよい。任意には、２つ以上のピン６５０があるかもしれない。図示されるようなサイドアーム６７０は、第１のサイドアーム１４０、第２のサイドアーム１５０、または、信号ポッド６００がいずれのサイドアームに取付けられるように構成されているかに依存して同じ物に対応する部品の断面図であってもよい。
【００３６】
例として、図５は、ストレージユニット５０４およびランダムアクセスメモリ５０６に接続された中央処理ユニット（「ＣＰＵ」）５０２を備えるコンピュータデバイス５００の実行の概略図を示す。ＣＰＵ５０２は、オペレーティングシステム５０１、アプリケーションプログラム５０３、およびデータ５２３を処理してもよい。オペレーティングシステム５０１、アプリケーションプログラム５０３、およびデータ５２３はストレージユニット５０４内に格納され、必要に応じてメモリ５０６内へロードされてもよい。
【００３７】
また、生体信号センサ５４０は、たとえばＩ／Ｏインタフェース５０９を介して、コンピュータデバイス５００に接続されてもよく、Ｉ／Ｏインタフェース５０９を介して起動され／作動を停止され、または、そうでなければ始動されてもよい。それぞれの生体信号センサ５４０は、独立して動作し、または、他の生体信号センサ５４０に連結されもしくは他のコンピュータデバイスに連結されてもよい。それぞれの生体信号センサ５４０は、データをＣＰＵ５０２に（たとえばＩ／Ｏインタフェース５０９を介して）伝送してもよい。
【００３８】
図８Ａおよび図８Ｂを参照すると、実施の形態の例による、眼鏡フレーム１００のアーム１３０、１８６に一体化された生体信号センサ８０４、８０６の概略図が提供される。２つの生体信号センサ８０６、８０４が図示されているけれども、熟練した読み手なら、いくつもの生体信号センサが図８Ａおよび図８Ｂで図示された典型的な実施の形態によって図示されたように組込まれていると理解するだろう。図８Ａおよび図８Ｂの典型的な実施の形態において図示された生体信号センサ８０４、８０６は、眼鏡フレーム１００のアーム１３０、１８６の範囲内および／またはその上に位置決めされて、ユーザ１０が眼鏡フレーム１００をかけるとき当該生体信号センサ８０４、８０６がユーザ１０の耳８０８および／または頭部に接触するようにしてもよい。さらに、生体信号センサ８０４、８０６は、生体信号センサ８０４、８０６がユーザ１０によって生み出された生体信号を検出するよう最適に向けられるのを確実にするために意図的に位置決めされてもよい。
【００３９】
ある実施の形態では、生体信号センサ８０４、８０６は、ユーザ１０によって生み出された生体信号を生体信号センサ８０４、８０６が検出するのを容易にするために、眼鏡フレーム１００のアーム１３０上に印刷された導電性インク、眼鏡フレーム１００のアーム１３０に接着されたもしくはさもなければ結合された導電性ゴム、および／または、導電性の生地（布地）、金属もしくは別の導電性材料を組込んでもよい。一実施の形態では、生体信号センサ８０４、８０６は、十分な接触が生体信号センサ８０４、８０６とユーザ１０との間で確立および／または維持されるのを確実にするためユーザ１０の耳８０８の外形に従って変形させた材料から全体的または部分的に構成されてもよい。
【００４０】
図９Ａを参照すると、一実施の形態の例によれば、ユーザ１０の鼻梁の周りに装着された生体信号センサ９０６、９０８、９１０の方向の例と、眼鏡フレーム１００の例との概略図が提供される。図９Ａは、ユーザ１０の鼻のどちらか一方の側で横方向におよび／または鼻梁領域内で垂直にユーザ１０の鼻との接触をもたらすように位置決めされた３つの鼻梁センサを示す眼鏡フレーム１００の背面図を提供する。ある実施の形態では、ユーザ１０の鼻領域との接触を作り出すために眼鏡フレーム１００に位置決めされた生体信号センサ９０６、９０８、９１０は、不快をもたらさずにまたは眼鏡フレーム１００をユーザ１０の鼻領域から離れて前方へ移動させずに、ユーザ１０の鼻領域と十分な接触が確立および維持されるのを確実にするために一応は構成されて（構造的および／または実質的に設計されて）もよい。
【００４１】
図９Ｂは、実施の形態による、ユーザ１０の鼻梁領域との接触を確立するために水平方向へ位置決めされ装着された円弧状の生体信号センサ９０８を具備した眼鏡フレーム１００の代替デザイン（設計）を提供する。生体信号センサ９０８は、ユーザ１０によって作り出される生体信号を生体信号センサ９０８が検出することを容易にするために、生体信号センサ９０８の外面に印刷された導電性インク、生体信号センサ９０８の外面に接着もしくはそうでなければ結合された導電性ゴム、および／または導電性の生地、金属もしくは別の導電性材料を組み入れるように構成されてもよい。
【００４２】
図９Ｃは、一実施の形態による、ユーザ１０の鼻梁領域との接触を確立するために水平方向へ位置決めされ装着された円形状の生体信号センサ９１０を具備する眼鏡フレーム１００の代替デザインを提供する。生体信号センサ９１０は、生体信号センサ９０８がユーザ１０によって作り出される生体信号を検出するのを容易にするために、生体信号センサ９１０の外面に印刷された導電性インク、生体信号センサ９１０の外面に接着もしくはそうでなければ結合された導電性ゴム、および／または導電性の生地、金属、もしくは別の導電性材料を組み入れるように構成されてもよい。
【００４３】
ところで、図１０Ａ、図１０Ｂ、および図１０Ｃを参照すると、ある実施の形態による、眼鏡フレーム１００の例と、バネ搭載ツル電極１００２との一組の平面図が提供される。図１０Ａは、第１のサイドアーム１４０の第１の内面１８２および／または第２のサイドアーム１５０の第２の内面１８４で眼鏡フレーム１００に取付けられたツル電極１００２およびツル電極バネ１００４の例を具備する眼鏡フレーム１００の例の平面図を提供する。ツル電極１００２は、ツル電極１００２がユーザ１０によって作り出された生体信号を検知するのを容易にするために、ツルセンサ１００２の外面に印刷された導電性インク、ツル電極１００２の外面に接着されたもしくはそうでなければ結合された導電性ゴム、および／または導電性の生地、金属、もしくは別の導電性材料を組み入れるように構成された生体信号センサを備えてもよい。
【００４４】
図１０Ａで図示されたツル電極１００２は、非係合位置で表され、したがって、ツル電極バネ１００４は、十分に伸びた位置にある。図１０８は、半係合位置（たとえば眼鏡フレーム１００を部分的にのみ装着完了したユーザの場合）でのツル電極を示し、したがって、ツル電極バネ１００４は、半圧縮位置で示されている。図１０Ｃは、完全係合位置（たとえばユーザ１０が眼鏡フレーム１００を首尾よく装着完了した）でのツル電極１００４を示し、したがって、ツル電極１００４が、完全圧縮位置で示されている。完全係合位置ではツル電極１００２とユーザ１０の頭部との間で確立された圧力は、ユーザ１０の頭部とツル電極１１０２との間で導電性接触を確立し、したがって、ユーザ１０によって作り出された生体信号を検出するために最適な位置でのツル電極１１０２の範囲内に生体信号センサを配置してもよい。
【００４５】
ある実施の形態では、ツル電極１００２は、剛体または半剛体の材料から構成されてもよく、ツル電極バネ１００４は、安定した接触を確実にするために圧縮されるにつれ一定の圧力を生成するかもしれない。また、ツル電極バネ１００４の圧縮によって作り出された一定の圧力は、眼鏡フレーム１００と関連部品とがユーザ１０の頭部で位置的に安定したままであることを確実にするのに役立つかもしれない。たとえば、仮にツル電極バネ１００４がツル電極１００２とユーザ１０の頭部との間に不適切な圧力を提供するようなことがあっても、ツル電極１００２はユーザ１０の頭部上を位置的に移動してもよく、ツル電極１００２は、
ａ）ユーザ１０へ不快を引き起こし、
ｂ）ツル電極１００２内に生体信号からのあまり効果的でないセンサの読出しをもたらすかもしれない。
【００４６】
ある実施の形態では、ツル電極１００２および／またはツル電極バネ１１０４は、導電性の圧縮可能な発泡体（泡状物質）ならびに／またはバネ材料および／もしくはエラストマー材料の組合せから構成されてもよい。ある実施の形態では、ツル電極１１０２は、可撓性または剛性材料から構成されてもよい。ある実施の形態では、ツル電極１１０２は、取外し可能であってもよく、様々な張力、デザイン、および／または材料のツル電極１１０２またはツル電極バネ１１０４と取替えられてもよい。
【００４７】
図１２Ａおよび図１２Ｂはさらに、ある実施の形態による、非係合位置（図１２Ａ参照）および係合位置（図１２Ｂ参照）でのツル電極９１０を図示する。図１２Ａおよび図１２Ｂで示されるツル電極９１０は、エラストマー材料から構成されてもよく、図１１に関して上述された同様な方法で導電性材料から構成されおよび／またはコートされもしくはカバーされてもよい。
【００４８】
図１２Ａは、ユーザ１０が自身の頭部に眼鏡フレーム１をまだ完全にかけていない非係合位置でのツル電極９１０を示す。ユーザ１０の頭部とツル電極９１０との間の圧力がまだ確立されていないので、ツル電極９１０はその静止位置のままであり、ツル電極９１０とユーザ１０との間の導電性接触は確立されていない。
【００４９】
図１２Ｂは、ユーザ１０が自己の頭部に眼鏡フレーム１００を完全にかけている係合位置でのツル電極９１０を示す。ツル電極９１０とユーザの頭部との間で確立された圧力は、ユーザ１０の頭部とツル電極９１０との間での導電性接触を確立し、したがって、ユーザ１０によって作り出された生体信号を検出するために最適な位置でのツル電極内に生体信号センサを置いてもよい。
【００５０】
図１１Ａ、図１１Ｂ、および図１１Ｃは、ある実施の形態による、眼鏡フレームの例に一体化されたバネピン組立体用電気接触子１１０４−１１０２のデザインの図を提供する。導電性配線は、本開示（たとえば、信号ポッド１３０、ツル電極１０２、および／または生体信号センサ８０４、８０６、９０６、９０８、９１０など）において記述された様々な部品間での通信用の接点を提供するかもしれない。導電性配線は、様々な手段によって眼鏡フレームの構成の中に組み入れられていてもよい。たとえば、ある実施の形態は、眼鏡フレーム１００の表面に印刷されるとともに非導電性材料でコートされた導電性配線を使用してもよい。ある実施の形態は、フレキシブル基板に印刷されるとともに眼鏡フレーム１００を構成する材料内で型成形された導電性配線を使用するかもしれない。ある実施の形態は、眼鏡フレーム１００内に個別の導電性配線を使用するかもしれない。ある実施の形態は、導電性インク（たとえば銀インク）を使って眼鏡フレーム１００にスクリーン印刷または３Ｄ印刷された導電性配線を組み入れてもよい。これらの実施の形態の例の全ては、それら自身の特有な利点を有している。しかしながら、眼鏡フレームのアーム（たとえば１４０、１５０）の大半がヒンジ（蝶番)メカニズムを具備する眼鏡フレームのフロント部１３０に取付けられているので、眼鏡フレームのフロント部１３０上もしくは内の導電性配線と眼鏡フレームのアーム（たとえば１４０、１５０）との間の接触を確立および維持するいくらかの手段が必要とされる。
【００５１】
図１１Ａ、図１１Ｂ、および、図１１Ｃは、眼鏡フレーム１００上もしくは内の部品の配線間の接触を確立および維持するために、眼鏡フレームの例に一体的にバネピン組立体用電気接触子１１０４−１１０２のデザインの実施の形態の例を提供する。図１１Ａは、眼鏡フレームのアーム１４０および／または１５０の溝内に埋め込まれたバネピン１１０２を具備した眼鏡フレーム１００と、眼鏡フレーム１００のフロント部１３０に取付けられたバネピン組立体用接触子との平面図を示す。図１１Ａでは、眼鏡フレーム１００ならびに眼鏡フレームのアーム１４０および／または１５０は、開放位置で示され、したがって、バネピン１１０２は、その延長位置にあるが、バネピン組立体用接触子１１０４との導電性接触をしていない。
【００５２】
図１１Ｂは、眼鏡フレームのアーム１４０および／１５０の溝内に埋め込まれたバネピン１１０２と、眼鏡フレーム１００のフロント部１３０に取付けられたバネピン組立体用接触子１１０４とを具備する眼鏡フレーム１００の平面図を示す。図１１Ｂでは、目眼フレーム１００ならびに眼鏡フレームのアーム１４０および／または１５０は、閉鎖位置で示され、したがって、バネピン１１０２は、その動作位置にあり、バネピン組立体用接触子１１０４との導電性接触を維持している。
【００５３】
図１１Ｃは、眼鏡フレームのアーム１４０および／または１５０の溝内に埋め込まれた多数のバネピン１１０２と、眼鏡フレーム１００のフロント部１３０に取付けられる多数のバネピン組立体用接触子１１０４とを具備する眼鏡フレーム１００の斜視図を示す。眼鏡フレーム１００の多数の部品は、相互に通信接触を必要とするかもしれない。こうして、図１１Ａ、図１１Ｂ、および、図１１Ｃで図示されたバネピン組立体の解決策により、多数のバネピンおよび多数のバネピン組立体用接触子が眼鏡フレーム１００におけるフロント部１３０ならびにアーム１４０および／または１５０に組込まれることが許容されるかもしれない。さらに、フレキシブル配線などのような解決策は、時間と共に摩耗および引き裂きと考えられる導電性配線の劣化で損害を受けている。上述の解決策は、導電性接触を確立および維持する一方、導電性部品の摩耗および引き裂きを最小限に抑えるかもしれない。さらに、デザイン美学は、眼鏡デザインの極めて重要な要素であり、上述の解決策は、眼鏡に取込まれ、製造業者に眼鏡の所望のデザイン美学を維持させてもよい。
【００５４】
図１３Ａおよび図１３Ｂは、ある実施の形態による、眼鏡フレーム１００内もしくは上の部品の配線間の導電性接触を確立および維持するために、眼鏡フレーム１００の例に一体化されたフレキシブルＰＣＢ基板組立体用電気接触子のデザインの実施の形態の例を提供する。図１３Ａは、眼鏡フレームのアーム１４０および／または１５０の溝内に収容されたフレキシブルＰＣＢ基板組立体１３０２の平面図を示す。眼鏡フレーム１００が完全に開いた位置（たとえばユーザ１０の頭部に置かれた位置）で示されるにつれ、フレキシブルＰＣＢ基板組立体１３０２の端部は、眼鏡フレーム１３０のフロント部の上と眼鏡フレームのアーム１４０および／または１５０の溝の基部とで、フレキシブルＰＣＢ基板組立体用接触子１３０４に導電性接触をしている。ひとたびフレキシブルＰＣＢ基板組立体１３０２がフレキシブルＰＣＢ基板組立体用接触子１３０４との接触を確立および維持すると、導電性接触子は、部品間に埋め込まれた配線を介して相互に通信するように眼鏡フレーム１００内または上の確立されたイネーブリング部品になるかもしれない。
【００５５】
図１３Ｂは、ある実施の形態による、眼鏡フレームのアーム１４０および／または１５０の溝内に収容されたフレキシブルＰＣＢ基板組立体１３０２の平面図を示す。眼鏡フレーム１００が開放位置で示されると、フレキシブルＰＣＢ基板組立体１３０２の端部は、両方のフレキシブルＰＣＢ基板組立体用接触子１３０４に接触をしない。その結果として、導電性接触は、眼鏡フレーム１００内または上の部品間で確立されず、当該部品は、その部品内に埋め込まれた配線を介して相互に通信できないかもしれない。
【００５６】
上述されたバネピン組立体の解決策のように、図１３Ａおよび図１３Ｂで図示されたフレキシブルＰＣＢ基板組立体の解決策は、眼鏡フレーム１００のフロント部１３０とアーム１４０および／または１５０とに組込まれるように導電性接触を可能にしてもよい。さらに、フレキシブル配線などのような既知の解決策は、時間と共に摩耗または引き裂きによる導電性配線の劣化で損害を受けているかもしれない。上述の解決策は、導電性接触を確立および維持する一方、導電性部品の摩耗または引き裂きを最小限に抑えるかもしれない。さらに、デザイン美学は、眼鏡デザインの極めて重要な要素であり、上述の解決策は、眼鏡に組込まれ、製造業者に眼鏡の所望のデザイン美学を維持させてもよい。
【００５７】
図１４および図１５は、ある実施の形態の例による、眼鏡フレーム用の調節可能な耳片の側面図である。調節可能な耳片は、アイウェアをしっかり固定するとともに十分な圧力を電極に提供している。ある実施の形態の例では、眼鏡フレームは、調節可能な耳片内に導電性接触子を有していてもよい。調節可能な耳片は、眼鏡フレームのサイドアームにつながり、使用時にはユーザの頭部および耳に接触する頭部導電性接触子を有している。導電性接触子は、サイドアームおよび信号ポッドに電気的に接続されている。調節可能な耳片は、ユーザの頭部および耳に一致するように形成可能でありまたは可鍛性である。調節可能な耳片は、導電性である形成可能な品または導電性材料でコートされた形成可能な部品と、屈曲または再形成できる内部可鍛金属片とを有している。
【００５８】
調節可能な耳片は、この例では、剛性プラスチックもしくは金属または他の金属からなるアーム１４０１の主要部を有している。調節可能な耳片は、導電性を有するかまたは導電性材料でコートされたかの軟質ゴムもしくはエラストマーまたはエラストマー発泡体（フォーム）耳片１４０２を有している。調節可能な耳片の内部には、様々な頭部および耳の形状に一致するとともに導電性エレメントと皮膚との間で良好なフィット感と安定した接続とを提供するために発泡体耳片１４０２を再形成するように屈曲され得る可鍛金属片１４０３がある。耳片は、ユーザの頭部および耳に一致するように異なる方向および寸法に調節可能である。
【００５９】
ある実施の形態の例では、調節可能な耳片は、銀コート発泡体電極を有している。図１６Ａおよび図１６Ｂは、ある実施の形態の例による、眼鏡フレーム用の銀コート発泡体電極Ｅの図である。銀コート発泡体電極は、ゴムペイントの層Ｌを有するフレキシブル発泡体Ｆもしくはメモリ発泡体、ＴＰＵ膜、または、それに適用される他のスムーズ（滑らかな）、フレキシブル（可撓性の）、もしくストレッチブル（伸縮可能）な基板を備えている。それから、銀インクＳの層は、滑らかな基板に塗布される。代替としては、銀インクは、その後に発泡体に張付けられた膜に塗布され得る。別の選択肢は、その後に金型内に置かれたフレキシブル膜に銀インクを塗布することであり、その発泡体がその後で成形される。
【００６０】
本書で記述されたある実施の形態に関して、眼鏡フレームのフロント部は、レンズおよびノーズ片（鼻パッド）を含んだ眼鏡の一部を言及している。アームは、そのフレームのフロント部からユーザの耳まで延びる眼鏡の一部を言及するかもしれない。ヒンジ（蝶番）は、眼鏡フレームを眼鏡のアームに接続してもよい。ヒンジは、アームを開放位置と閉鎖位置との間で移動できるようにする。眼鏡の開放位置は、アームが外へ折られ（実質上外に折られ）て身に着けるユーザの頭部に眼鏡をかける準備ができるようにする位置を言うかもしれない。眼鏡の閉鎖位置は、たとえばアームが保管のため眼鏡フレームに向けて折り重ねられまたは折り畳まれた位置を言うかもしれない。ある実施の形態の例では、ヒンジは、サイドアームが開放位置と閉鎖位置との間で移動するときに折り畳み可能な屈曲部を有している。
【００６１】
図１７は、ある実施の形態の例による、開放位置での眼鏡フレームにおけるヒンジ(蝶番)とアームの一部分との図である。図１８は、ある実施の形態の例による、閉鎖位置での眼鏡フレームにおけるヒンジ（蝶番）とアームの一部分との図である。アームが開放位置にあるとき、屈曲ＰＣＢ部Ｐは眼鏡のアームおよびフレーム内の空洞Ｃ、Ｃ′の外側にそれぞれ押される。アームが閉鎖位置にあるとき、屈曲ＰＣＢ部Ｐはぴんと張った状態で引っ張られる。屈曲ＰＣＢ部は、印刷されたまたはそうでなければ接着された導電性トレースを具備するフレキシブルＰＣＢまたは何らかのフレキシブル基板であってもよい。
【００６２】
図１９、図２０、図２１、および図２２は、ある実施の形態の例による、眼鏡フレームのヒンジの図である。図示された構成の例では、眼鏡の高さＨは、２つの側に分離され、屈曲ＰＣＢ部Ｐがその中央を通り抜けることを許容している。符号１９００は、アームが開いたときに屈曲ＰＣＢ部がどこに位置しているかを示している。符号２０００は、アームＡが閉じたときに屈曲ＰＣＢ部Ｐがどこに位置しているかを示している。なお、屈曲ＰＣＢ部Ｐは、ヒンジの軸を介して移動する。符号２１００は、後方からの開放位置でのアームＡを示している。符号２２００は、側方からの閉鎖位置でのアームを示し、網掛けエリア２２０２は、ヒンジがその邪魔にならない場合での屈曲ＰＣＢ部Ｐである。
【００６３】
図２３は、ある実施の形態の例による、開放位置での眼鏡フレームＦ′におけるヒンジ（蝶番）とアームＡの一部分との図である。図２４は、ある実施の形態の例による、閉鎖位置での眼鏡フレームにおけるヒンジ（蝶番）ＨとアームＡの一部分との図である。
【００６４】
この構成では、屈曲ＰＣＢ部Ｐは、アームだけの空洞内で折れ重なっている。折れ重なりは、空洞Ｃ内に押し込められ、アームＡが完全閉鎖位置にあるときに屈曲ＰＣＢ部は２つの折り畳んだ部分をお互いにもっと近くに引き寄せるようにしている。外側折返し２４００は、空洞から引っ張られず、内側折返し２４０２は、外側折返しの一方の折返し半径内に入らない。屈曲ＰＣＢ部をヒンジ側の空洞から立ち去らせておくことによって、空洞内で移動する屈曲部分は、地点２４０４で外側折返し２４００と一緒に移動する。内側折返し２４０２は、地点２４０６で屈曲ＰＣＢ部２４０８の外側固定部分に沿って転がる。これにより、屈曲ＰＣＢ部は、空洞内に戻るように案内され、それを押すのに必要とされる力は、低減される。この実施の形態の例では、眼鏡のフレーム部分の内部には空洞はない。
【００６５】
図２５は、ある実施の形態の例による、開放位置での眼鏡フレームＦ′におけるヒンジ（蝶番）ＨとアームＡの一部分との図である。図２６は、実施の形態の例による、閉鎖位置での眼鏡フレームにおけるヒンジ（蝶番）とアームの一部分との図である。この構成では、屈曲ＰＣＢは、アームの内側で折り重なっている。
【００６６】
理解されることは、命令を実行するとともに本書で例示された何らかのモジュールもしくは部品が、記憶媒体やコンピュータ記憶媒体などのようなコンピュータ可読媒体、もしくは、たとえば磁気ディスク、光学ディスク、テープ、および他のコンピュータ可読媒体の形式などのようなデータ記憶装置（取外し可能および／または取外し不可能）を備え、または、そうでなければそれへのアクセスを有するかもしれないことである。コンピュータ記憶媒体は、たとえばコンピュータ可読媒体命令、データ構造、プログラムモジュール、または他のデータなどのような、情報の記憶用の何らかの方式もしくは科学技術において実行される揮発性かつ不揮発性であり取外し可能かつ取外し不可能な媒体を備えていてもよい。コンピュータ記憶媒体の例には、ＲＡＭ、ＲＯＭ、ＥＥＰＲＯＭ、フラッシュメモリもしくは他のメモリ科学技術、ＣＤ−ＲＯＭ、デジタル多用途ディスク（ＤＶＤ）、ブルーレイディスク、もしくは、他の光学ストレージ、磁気カセット、磁気テープ、磁気ディスクストレージもしくは他の磁気ストレージデバイス、または、所望の情報を記憶するために使用され得るとともにアプリケーション、モジュール、もしくは両方によってアクセスされ得る何らかの他の媒体が含まれる。そのようなコンピュータ記憶媒体は、モバイル機器、追跡モジュール、対象物追跡アプリケーションなどの一部であってもよく、または、それにアクセス可能もしくは接続可能であってもよい。本書で記述された何らかのアプリケーションまたはモジュールは、そのようなコンピュータ可読媒体に記憶されまたはそうでなければ保持されているコンピュータ可読／実行可能命令を使って実行されてもよい。
【００６７】
こうして、全体変更、部分的変更、および変形は、この開示の範囲から逸脱せずに当業者によって具体的な実施の形態にもたらすことができ、当該実施の形態は、もっぱら添付された請求項によって規定される。
【００６８】
さらなる態様では、開示は、一時的でない機械可読命令セットを含めて、システム、デバイス（機器）、方法、および、コンピュータプログラミング製品を提供し、当該方法を実行する際および前述の機能を有効にする際に使用される。
【００６９】
そのような開示が、ある程度の詳細を伴って典型的な形式で開示および図示されているけれども、記述および図示は例としてのみなされていることに留意すべきである。部品およびステップの構成、組合せ、ならびに配列の詳細の多くの変更は、なされるかもしれない。したがって、そのような変更は、請求項で規定された発明の範囲内に含まれるように意図される。
【００７０】
何らかの任意のステップまたはその部品を含めて、記述されたプロセス内で明確に述べられた程度または当該プロセス内に固有な程度を除いて、必要な順序、一続きの事象、または組合せは、意図されずまたは暗示されない。当業者によって理解されるように、本書で記述された両プロセスおよび何らかのシステム、デバイスなどに関して、変更の広範囲が起こり得、様々な状況において利点にさえなる。
【００７１】
本書で記述されたデバイス、システム、および方法の実施の形態は、ハードウェアおよびソフトウェアの両方の組合せで実行されるかもしれない。これらの実施の形態は、プログラム可能なコンピュータ上で実行されてもよく、当該コンピュータのそれぞれは、少なくとも１つのプロセッサ、データ記憶システム（揮発性メモリ、不揮発性メモリ、他の記憶素子、またはそれらの組合せを含む）、および、少なくとも１つの通信インタフェースを備えている。
【００７２】
プログラムコードは、入力データに適用され、本書で記述された機能を実行するとともに出力情報を生成する。出力情報は、１つ以上の出力デバイスに適用される。ある実施の形態では、通信インタフェースは、ネットワーク通信インタフェースであってもよい。素子が組み合わされた実施の形態では、通信インタフェースは、たとえばプロセス間通信のものなどのように、ソフトウェア通信インタフェースであってもよい。さらに他の実施の形態では、ハードウェア、ソフトウェア、およびそれらの組合せとして実行される通信インタフェースの組合せがあるかもしれない。
【００７３】
本検討の至るところで、多くの言及が、サーバー、サービス、インタフェース、ポータル、プラットフォーム、または、コンピュータデバイスから形成された他のシステムに関してなされている。理解すべきことは、そのような用語の使用が、コンピュータ可読タンジブル非一時的媒体に格納されたソフトウェア命令を実行するように構成された少なくとも１つのプロセッサを備える１つ以上のコンピュータデバイスを表示すると考えることである。たとえば、サーバーは、記述された役割、責任、または機能を果たす方法でウェブサーバー、データベースサーバー、または他の種類のコンピュータサーバーとして動作する１つ以上のコンピュータを含むことができる。
【００７４】
本検討は、多くの実施の形態の例を提供している。それぞれの実施の形態が、発明要素の単一の組合せを表すけれども、他の例には開示された要素の全ての可能な組合せが含まれてもよい。こうして、一実施の形態が要素Ａ、Ｂ、およびＣからなるとともに、第２の実施の形態が要素ＢおよびＤからなる場合には、Ａ、Ｂ、Ｃ、またはＤの他の残りの組合せもまた使用されてもよい。
【００７５】
「接続された」または「結合された」という用語は、直接的なカップリング（互いに結合された２つの要素が相互に接触する）と、間接的なカップリング（少なくとも１つの付加的な要素が当該２つの要素の間に置かれている）との両方を含んでもよい。
【００７６】
実施の形態の技術的な解決策が、ソフトウェア製品の形式であってもよい。ソフトウェア製品は、コンパクトディスク読出し専用メモリ（ＣＤ−ＲＯＭ）、ＵＳＢフラッシュディスク、または取外し可能なハードディスクであることがある不揮発性または非一時的記憶媒体に記憶されてもよい。ソフトウェア製品は、コンピュータデバイス（パーソナルコンピュータ、サーバー、またはネットワークデバイス）に当該実施の形態で提供される方法を実行させる多くの命令を含んでいる。
【００７７】
本書で記述された実施の形態は、コンピュータデバイス、サーバー、受信機、送信機、プロセッサ、メモリ、ディスプレイ、および、ネットワークを含めて物理的なコンピュータハードウェアによって実行される。本書で記述された実施の形態は、有益な物理的機械装置と、具体的に構成されたコンピュータハードウェア構成とを提供している。本書で記述された実施の形態は、電子的な機械装置と、様々な種類の情報を表す電磁信号を処理および変形するために適合された電子的な機械装置で実行される方法とに向けられている。本書で記述された実施の形態は、機械装置およびそれらの使用に広範囲かつ一体的に関連している。本書で記述された実施の形態は、コンピュータハードウェア、機械装置、および、様々なハードウェア部品との使用の範囲を超えて意味または実用的適用性を持たない。たとえば観念的なステップ（工程）を使って、様々な動作を実行するように具体的に構成された物理的ハードウェアを非物理的ハードウェアの代用にすることは、実施の形態が働く方式に実質的に影響を及ぼすかもしれない。そのようなコンピュータハードウェア限定は、本書で記述されている実施の形態の明確な必須の要素であり、本書で記述された実施の形態の動作および構造に対する重大な影響を持たずに観念的な手段のために省略できずまたは当該手段の代用にできない。コンピュータハードウェアは、本書で記述されている様々な実施の形態を実施するのに欠かせず、迅速かつ効率的な方法でステップを実行するために使用されるばかりではない。
【００７８】
簡単のため、１つのコンピュータデバイス５００だけが図示されているが、システムは、遠隔ネットワークリソースにアクセスするとともにデータを交換するためにユーザによって操作可能な多数のコンピュータデバイス５００を含んでいてもよい。コンピュータデバイス５００は、同じまたは異なる種類のデバイスであってもよい。
コンピュータデバイス５００は、少なくとも１つのプロセッサ５０２と、データ記憶デバイス５０４（揮発性メモリ、不揮発性メモリ、他のデータ記憶素子、または、それらの組合せを含む）と、少なくとも１つの通信インタフェースとからなる。
【００７９】
たとえば制限なく、コンピュータデバイス５００は、サーバー、ネットワーク電気製品、セットトップボックス、埋め込みデバイス、コンピュータ拡張モジュール、パーソナルコンピュータ、ラップトップ、パーソナルデータアシスタント、携帯電話、スマートフォンデバイス、ＵＭＰＣタブレット、ビデオディスプレイ端子、ゲーム機、および、ワイヤレスハイパーデバイスまたは本書で記述された方法を実行するために構成可能である何らかの他のコンピュータデバイスであってもよい。
【００８０】
図５は、コンピュータデバイス５００の回路図であり、一実施の形態の典型である。図示されるように、コンピュータデバイス５００は、少なくとも１つのプロセッサ５０２、メモリ５０４、少なくとも１つのＩ／Ｏインタフェース５０６、および、少なくとも１つのネットワークインタフェース５１１を備えている。
【００８１】
それぞれのプロセッサ５０２は、たとえば、汎用性マイクロプロセッサもしくはマイクロコントローラ、デジタル信号処理（ＤＳＰ）プロセッサ、集積回路、フィールド・プログラマブル・ゲート・アレイ（ＦＰＧＡ）、再構成可能なプロセッサ、プログラマブル読出し専用メモリ（ＰＲＯＭ）、または、それらの何らかの組合せのうちの幾つかの種類であってもよい。
【００８２】
メモリ５０４は、たとえばランダムアクセスメモリ（ＲＡＭ）、読出し専用メモリ（ＲＯＭ）、コンパクトディスク読出し専用メモリ（ＣＤＲＯＭ）、電気光学メモリ、磁気光学メモリ、消去可能なプログラマブル読出し専用メモリ（ＥＰＲＯＭ）、および電気的消去可能なプログラマブル読出し専用メモリ（ＥＥＰＲＯＭ）などのような内部または外部のいずれか一方に配置されたコンピュータメモリ、強誘電体ＲＡＭ（ＲＲＡＭ）などの何れかの種類のうちの適切な組合せを備えていてもよい。
【００８３】
それぞれのネットワークインタフェース５１１は、コンピュータデバイス５００に他の部品と通信できるようにし、他の部品とデータ交換できるようにし、ネットワークリソースにアクセスおよび接続できるようにし、アプリケーションに貢献できるようにし、ならびに、インターネット、イーサーネット、従来の普通の電話サービス（ＰＯＴＳ）回線、公衆交換電話網（ＰＳＴＮ）、総合デジタル通信網（ＩＳＤＮ）、デジタル加入者回線（ＤＳＬ）、同軸ケーブル、光ファイバー、人工衛星、移動体、ワイヤレス（たとえばＷｉ−Ｆｉ、ＷｉＭＡＸ）、ＳＳ７シグナル伝達ネットワーク、固定回線、ローカルエリアネットワーク、ワイドエリアネットワークを含めてデータを搬送できるネットワーク（多重ネットワーク）に接続すること、および、これらの何らかの組合せを含めて他のものに接続することによって他のコンピュータアプリケーションを実行できるようにしている。
【００８４】
コンピュータデバイス５００は、アプリケーション、ローカルネットワーク、ネットワークリソース、他のネットワーク、およびネットワークセキュリティデバイスへのアクセスを与えるより前に、ユーザ５０７を登録し本人であることを確認するように（たとえばログイン、固有の識別子、およびパスワードを使って）作動できる。コンピュータデバイス５００は、１人のユーザまたは多数のユーザのために働くかもしれない。
【００８５】
実施の形態が詳細に記述されたが、理解すべきことは、様々な変形、代用、および変更が、添付の請求項で規定されるような範囲から逸脱せずに本書でなされ得ることである。
【００８６】
さらに、本出願の範囲は、明細書に記述されたプロセス、機械装置、製造、組成物、手段、方法、およびステップの具体的な実施の形態に限定されるように意図されない。当業者が本発明の開示から容易に理解されるように、本書で記述された対応する実施の形態と実質的に同じ機能を実行しまたは実質的に同じ結果を達成する、既存のもしくはその後に改良されるプロセス、機械装置、製造、組成物、手段、方法、もしくはステップは利用されるかもしれない。したがって、添付の請求項は、それらの範囲内に、そのようなプロセス、機械装置、製造、組成物、手段、方法、またはステップを含むように意図される。
【００８７】
理解されるように、上述され図示された例は、単なる典型例であるように意図される。
【図１Ａ】
2019512713.tif 000003
【図１Ｂ】
2019512713.tif 000004
【図２】
2019512713.tif 000005
【図３】
2019512713.tif 000006
【図４Ａ】
2019512713.tif 000007
【図４Ｂ】
2019512713.tif 000008
【図５】
2019512713.tif 000009
【図６Ａ】
2019512713.tif 000010
【図６Ｂ】
2019512713.tif 000011
【図７】
2019512713.tif 000012
【図８Ａ】
2019512713.tif 000013
【図８Ｂ】
2019512713.tif 000014
【図９Ａ】
2019512713.tif 000015
【図９Ｂ】
2019512713.tif 000016
【図９Ｃ】
2019512713.tif 000017
【図１０Ａ】
2019512713.tif 000018
【図１０Ｂ】
2019512713.tif 000019
【図１０Ｃ】
2019512713.tif 000020
【図１１Ａ】
2019512713.tif 000021
【図１１Ｂ】
2019512713.tif 000022
【図１１Ｃ】
2019512713.tif 000023
【図１２Ａ】
2019512713.tif 000024
【図１２Ｂ】
2019512713.tif 000025
【図１３Ａ】
2019512713.tif 000026
【図１３Ｂ】
2019512713.tif 000027
【図１４】
2019512713.tif 000028
【図１５】
2019512713.tif 000029
【図１６Ａ】
2019512713.tif 000030
【図１６Ｂ】
2019512713.tif 000031
【図１７】
2019512713.tif 000032
【図１８】
2019512713.tif 000033
【図１９】
2019512713.tif 000034
【図２０】
2019512713.tif 000035
【図２１】
2019512713.tif 000036
【図２２】
2019512713.tif 000037
【図２３】
2019512713.tif 000038
【図２４】
2019512713.tif 000039
【図２５】
2019512713.tif 000040
【図２６】
2019512713.tif 000041
【国際調査報告】
2019512713.tif 000042
2019512713.tif 000043
2019512713.tif 000044
2019512713.tif 000045
2019512713.tif 000046